(57)【特許請求の範囲】
【請求項１】
背もたれ本体の一部に弾性変形領域を設定し、その弾性変形領域に弾性変形を助勢するための変形助勢凹部たるスリット孔を背もたれ本体の厚み方向に貫通させて設けるとともに、背もたれ本体の一部を覆うカバーを、前記スリット孔を利用して背もたれ本体に取り付けるようにし、
下方に開口するカバーを背もたれ本体の上方から被せるとともに、カバーの下端部に設けた取付部を前記スリット孔に挿通しあるいは引っかけることにより、当該カバーを背もたれ本体に抜脱不能に被着しているものであって、
下方に開口するカバーの下端部に、厚み寸法が前記スリット孔の上下幅寸法よりも小さく幅寸法が前記スリット孔の上下幅寸法よりも大きい板状の取付部を設けているとともに、前記カバーを背凭れ本体の上方から被せた際に、背凭れのカバーに作用する張力により前記取付部が引っ張られてその周縁部が前記スリット孔の周縁部に密着係合するようにしていることを特徴とする椅子。
【請求項２】
前記スリット孔が上下に複数設けてあり、最上方に位置するスリット孔を利用してカバーを背もたれ本体に取り付けている請求項１記載の椅子。
【請求項３】
前記スリット孔が左右に延びる帯状をなすものであり、前記取付部が、前記スリット孔の左右幅寸法と略同一の長さ寸法を有するものである請求項１又は２記載の椅子。
【請求項４】
前記弾性変形領域を背もたれ本体の下部に設定している請求項１、２又は３記載の椅子。
【発明の詳細な説明】
【０００１】
【発明の属する技術分野】
本発明は、樹脂製等の背もたれ本体にカバーを被着してなる椅子に関するものである。
【０００２】
【従来の技術】
従来、快適な座り心地を提供するために、背もたれを撓ませたりスライドさせたりするなど、背もたれを変形あるいは移動可能に構成した椅子が種々知られているところ、近時においては、背もたれ面にクッションを設けず、例えば樹脂のシェルにある程度の可撓性を与えて着座者の背にフィットさせるようにしたシンプルな構成のものが開発されつつある。具体的には、樹脂製背もたれ本体の所定領域にスリット等を設けてその領域を他の領域に比べ弾性変形させやすい弾性変形領域としたものが知られている。
【０００３】
【発明が解決しようとする課題】
しかしながら、このようなものでは背もたれ本体そのものが変形するため、当該背もたれ本体へのカバーの取り付けが難しく、また背もたれ本体の変形にともなってカバーに大きな張力が発生しカバーがはずれやすいといった不具合が発生しやすい。
【０００４】
かといって、カバー取付のための専用の機構を設けたのでは、構造の複雑化や価格の上昇等を招くうえ、例えばシンプルな外観を要求されるものにおいては前記専用の機構によって、バランスが崩れデザイン状不都合が生じる懼れもある。
【０００５】
そこで本発明は、基本的にクッション等を有さず、背もたれ本体にある程度の可撓性を与えて着座者の背にフィットさせるようにした椅子において、極めてシンプルな構成でカバーを確実にかつ無理なく取り付けられるようにして、前記課題を解決すべく図ったものである。
【０００６】
【課題を解決するための手段】
すなわち本発明に係る椅子は、背もたれ本体の一部に弾性変形領域を設定し、その弾性変形領域に弾性変形を助勢するための変形助勢凹部たるスリット孔を背もたれ本体の厚み方向に貫通させて設けるとともに、背もたれ本体の一部を覆うカバーを、前記スリット孔を利用して背もたれ本体に取り付けるようにし、下方に開口するカバーを背もたれ本体の上方から被せるとともに、カバーの下端部に設けた取付部を前記スリット孔に挿通しあるいは引っかけることにより、当該カバーを背もたれ本体に抜脱不能に被着しているものであって、下方に開口するカバーの下端部に、厚み寸法が前記スリット孔の上下幅寸法よりも小さく幅寸法が前記スリット孔の上下幅寸法よりも大きい板状の取付部を設けているとともに、前記カバーを背凭れ本体の上方から被せた際に、背凭れのカバーに作用する張力により前記取付部が引っ張られてその周縁部が前記スリット孔の周縁部に密着係合するようにしていることを特徴とする。
【０００７】
このようなものであれば、背もたれ本体に何ら改造を施すことなく、極めてシンプルな構成でカバーを確実にかつ無理なく取り付けられる。
【０００８】
ここで「変形助勢凹部たるスリット孔」とは、背もたれ本体の厚みを減じることにより、その部分における剛性を他の部分より小さくし、弾性変形させやすく（助勢）すべく設けられ、背もたれ本体の厚み方向に貫通するスリット孔が含まれる。
【０００９】
また、「カバーを前記スリット孔を利用して背もたれ本体に取り付ける」具体的態様としては、カバーの端部を直接、あるいは端部に設けた取付部を、前記スリット孔に引っ掛けることや、カバーの端部をスリット孔に挿通させることを挙げることができる。
【００１０】
また、下方に開口するカバーを背もたれ本体の上方から被せるとともに、カバーの下端部に設けた取付部を前記スリット孔に挿通しあるいは引っかけることにより、当該カバーを背もたれ本体に抜脱不能に被着しているので、背もたれ本体にカバーを取り付けやすくできる。
【００１１】
特に、前記スリット孔が上下に複数設けてあり、最上方に位置するスリット孔を利用してカバーを背もたれ本体に取り付けているものであれば、カバーが背もたれにおける非弾性変形領域に装着されることとなり、背もたれ本体に変形を加えてもカバーに無理な力が加わらず、カバーの被着状態を好適に保つことができる。一方、カバーが少なくとも背もたれ本体の上部に被着されることになるところ、実際に背もたれで汚れやすいのは、着座者の背に密着しやすい上部であるため、カバーとしての十分な機能を発揮させることもできる。
【００１２】
カバーに一様に張力を与え、皺がよりにくいものとするには、前記スリット孔を左右に延びる帯状をなすものとし、前記取付部を、前記スリット孔の左右幅寸法と略同一の長さ寸法を有するものとすることが望ましい。
【００１３】
具体的実施態様としては、前記弾性変形領域を背もたれ本体の下部に設定し、ランバーサポート部として機能させているものが挙げられる。
【００１４】
【発明の実施の形態】
以下に本発明の一実施形態について図面を参照して説明する。
【００１５】
本実施形態に係る椅子Ｃは、図１〜図３に示すように、構造体としての基盤をなす椅子本体１に、座６及び背もたれ７を取り付けてなるものである。
【００１６】
先ず、椅子本体１について説明する。
【００１７】
この椅子本体１は、脚２と、脚２の上端側に取り付けた支持基部３と、前部を前記支持基部３に支持させた座受４と、基端を前記支持基部３に取り付け中間部に前記座受４の後部を支持させた背フレーム５とを具備する。
【００１８】
脚２は、５本の脚羽根２１の中央から支柱２２を立ち上げた構造をなし、支柱２２は昇降可能であって内部に図示しないガススプリング機構を組み込んでいる。
【００１９】
支持基部３は、前記支柱２２の上端部に回転可能に取り付けたもので、図４に示すように、前方に水平に延びその一部に支柱２２を上下方向に貫通させてなる底壁３１と、この底壁３１の前端から斜め前方に傾斜して立ち上がる前壁３２と、これら底壁３１及び前壁３２の周囲より起立して前記底壁３１及び前壁３２とともに内側に上方に開口する機構部収納空間を形成する側壁３３とを具備するもので、概略舟形をなす。この支持基部３は、その側壁３３の前部に、それぞれ背向する方向に軸心を一致させて前座受取付軸３４を一体突設或いは外付けできるようになっている。またこの支持基部３は、その底壁上方を横断する位置に、左右の側壁３３間に亘って背取付軸３５を貫通させている。
【００２０】
座受４は、その平面図を図５、支持基部３に取り付けた状態の斜視図を図６に示すように、前記支持基部３上に位置し、一定間隔を保って前後に平行に延びる縦フレーム４１と、これら縦フレーム４１の前端近傍部間及び後端近傍部間を連結する位置に横架した横フレーム４２とを具備するもので、概略井桁状をなす。そして各々の縦フレーム４１の前端近傍部には、前後方向に延びる長孔４１１が対応づけて設けてあり、各々の長孔４１１に前記支持基部３の前座受取付軸３４の端部を同長孔４１１に沿ってスライド移動可能に挿入している。
【００２１】
背フレーム５は、図２、図３等に示すように、概略Ｌ字形に屈曲する一対の背フレーム要素５１と、これらの背フレーム要素５１の上端近傍部間を一定の間隙を保って連結する連結部材５２とを具備するもので、一対の背フレーム要素５１間に、当該背フレーム５１の基端５１ａと屈曲部位５１ｂとの間で図４及び図６に示す後座受取付軸５３を架設することができるようにしている。そして、各々の背フレーム要素５１の基端５１ａを前記支持基部３の背取付軸３５に回転可能に取り付け、背フレーム要素５１間に架設した後座受取付軸５３に座受４の縦フレーム４１の後部を取り付けている。
【００２２】
上記の構成によって、図４に示すように、この椅子本体１は、支持基部３の前座受取付軸３４を座受４の長孔４１１の後端側に位置付け背フレーム５が起き上がった図中実線で示す状態において椅子Ｃに通常使用姿勢を与え、支持基部３の前座受取付軸３４を座受４の長孔４１１の前端側に位置付け背フレーム５が後傾した図中想像線に示す状態において座受４の後端を沈み込ませて椅子Ｃに安息姿勢を与え、全体としていわゆるシンクロチルト機構を実現するものである。
【００２３】
そして、この椅子本体１は、前記シンクロチルト機構の一部に反力機構Ｈを組み込んでロッキング装置を構成するとともに、そのロッキングを所定位置に固定するロッキング固定機構Ｅ及びロッキング硬さを調整する反力調整機構Ａを当該ロッキング装置の構成要素として付加している。
【００２４】
反力機構Ｈは、図４及び図６に示すように、前記支持基部３の機構収納空間に後傾姿勢（略４５°）で配置され前上方端を固定リテーナＨ１に支持された一対のコイルスプリングＳと、背取付軸３５上にあって背フレーム５の傾動動作に同期して回転する第１回転アームＨ２と、この第１回転アームＨ２の背取付軸心から偏位した位置に軸回りに取り付けた可動リテーナＨ３とを具備し、この可動リテーナＨ３に前記コイルスプリングＳの後下方端を支持させて、背フレーム５の後傾動作に伴い第１回転アームＨ２を介して可動リテーナＨ３がコイルスプリングＳを圧縮する構造になっている。なお、図６において一対のコイルスプリングＳの間にある第１回転アームＨ２などは省略してある。
【００２５】
ロッキング位置固定機構Ｅは、その平面図を図５、座受４に取り付けた状態の斜視図を図６に示すように、中間部よりもやや基端側を座受４に第１鉛直軸Ｘ１回りに回転可能に取り付けた平面視扇形をなす一対のロック板Ｅ１と、背フレーム５のロッキング動作を前記一対のロック板Ｅ１の同期回転動作に変換する動作変換機構Ｅ２と、ロック板Ｅ１同士を選択的に固定する操作部Ｅ３とからなる。ロック板Ｅ１は、第１鉛直軸Ｘ１を通る径方向断面が下向Ｌ字形をなすもので、円周上にあって垂下した部分の集合である円筒面Ｅ１ａには径方向に開口する孔Ｅ１ｂが所定ピッチで円周方向の複数箇所に亘って設けてあり、同期回転動作に伴って、各孔Ｅ１ｂが両第１鉛直軸Ｘ１の軸心を結ぶ仮想直線ＬＩ１上に次々と到来して密接に対面するものである。動作変換機構Ｅ２は、一端を前記扇形をなすロック板Ｅ１の基端に第２鉛直軸と水平長孔との係わり合い部Ｘ２を介して接続し、他端を支持基部３の前座受取付軸３４に係わり合わせた剛体たる連結部材Ｅ２１からなるもので、ロッキング動作に伴って座受４が支持基部３に対して後下方へ移動すると、この座受４に搭載されているロック板軸支用の第１鉛直軸Ｘ１が追従するのに対して、ロック板Ｅ１の基端に係わり合う第２鉛直軸Ｘ２は連結部材Ｅ２１を介して支持基部３により一定位置に保持されるため、結果的に座受４がロッキングにより沈み込むと、扇形のロック板Ｅ１の円筒面Ｅ１ａが第１鉛直軸Ｘ１に押されて前記係わり合い部Ｘ２の周りを後方に旋回するようになっている。操作部Ｅ３は、前記仮想直線ＬＩ１に軸心を合致させて同軸心方向へ進退可能に配置したロックピンＥ３１と、基端を第３鉛直軸Ｘ３を介して座受４の横フレーム４２に回転可能に取り付けられ先端を水平長孔と鉛直ピンとの係わり合い部Ｘ４を介して前記ロックピンＥ３１に接続した第２回転アームＥ３２と、この第２回転アームＥ３２を前記両ロック板Ｅ１の孔Ｅ１ｂに通過させる方向に押し付けるバネ要素Ｅ４と、この第２回転アームＥ３２を前記バネ要素Ｅ４に抗し引き戻して前記ロックピンＥ３１を両ロック板Ｅ１の孔Ｅ１ｂから抜き取る操作を行うロッキング位置調整操作レバーＥ５とから構成され、ロッキング位置調整操作レバーＥ５は座受４の側方の適宜位置に取り付けてある。前記バネ要素Ｅ４と前記ロッキング位置調整操作レバーＥ５とは、図５に示すワイヤＥ６により接続されている。
【００２６】
このロッキング位置固定機構Ｅの利点としては、座受４の動きに連動させてロック板Ｅ１の外周をより大きく振らし、この外周においてロック板Ｅ１の孔Ｅ１ｂとロックピンＥ３１との係わり合いによりロック板Ｅ１同士を固定、ひいては座受４の動きを止めて背座をそのロッキング位置に固定するものであるため、ロック板Ｅ１の孔Ｅ１ｂの間隔を比較的大きくとっても背座のロッキング固定を比較的小刻みに行える点、第１鉛直軸Ｘ１からロック板Ｅ１の孔Ｅ１ｂとロックピンＥ３１との係わり合いの部分までのトルクアームが当該第１鉛直軸Ｘ１からロック板Ｅ１と連結部材Ｅ２１との係わり合い部Ｘ２までのトルクアームよりも大きいため、ロックに要する力を軽減することができ、ロックピンＥ３１やロック板Ｅ１に剛性さえ付与すれば固定に必要な機構自体を簡素なものにできる点、一対のロック板Ｅ１を相互に拘束し合うことで背もたれ７のロッキング固定を行うため、連結部材Ｅ２１以外の操作部等の要素部品を全て座受４側に搭載することができ、座６の移動に対して操作部を常に一定の相対位置に配置しておくことができる点、さらには、あるロッキング状態で着座者が椅子から離れ、反力機構Ｈによって背座が起き上がろうする方向に動こうとする場合、本実施形態の構造によればロックピンＥ３１がロック板Ｅ１の孔Ｅ１ｂからせん断方向の押付力を受けることになるため、これによる摩擦力でロックピンＥ３１が孔Ｅ１ｂから抜けることが阻止され、椅子から立ち上がっても背座が急激に起き上がることが防止される点、そして再び着座することによって、上記せん断方向の力が消失して改めてロック解除の操作が可能となる点などが挙げられる。また、扇形のロック板Ｅ１は水平面内で回転するだけであるため、薄い設計が可能となる点、扇形のロック板Ｅ１の外周部に互いに噛み合う歯を形成すれば、動作のズレをなくすこともできる点なども利点として挙げられる。
【００２７】
反力調整機構Ａは、図４に示すように、前記コイルスプリングＳの固定リテーナＨ１を、実際には軸状のバックアップ部材Ａ１０によって当該固定位置に保持するように構成した上で、このバックアップ部材Ａ１０を一部に備え水平軸Ａ１１回りに回転可能な第３回転アームＡ１と、この第３回転アームＡ１の前記水平軸Ａ１１から偏位した位置においてその偏位方向と略直交する方向からねじ結合させたグリップＡ２１を有するねじ要素Ａ２とにより構成したもので、そのねじ要素Ａ２は支持基部３の前壁３２を貫通して前壁３２の外部に突出し、その突出位置に当該グリップＡ２１を配置している。そして、グリップ操作を通じてねじ要素Ａ２１にねじ送り動作を与えると、第３回転アームＡ１が水平軸Ａ１１回りに回転して、バックアップ部材Ａ１０を介しリテーナＨ１のバックアップ位置を、コイルスプリングＳの圧縮力を増減させる方向に移動させ得るようにしている。なお、第３回転アームＡ１とねじ要素Ａ２とは、操作位置に応じて交差角度が変化するため、ねじ要素Ａ２の先端に押さえ板Ａ２２を取り付け、第３回転アームＡ１には部分円弧状の突起Ａ１２を形成して、この突起Ａ１２を押さえ板Ａ２２により押し付けさせることで交差角度が変化しても対応できるようにしている。
【００２８】
この反力調整機構Ａの利点としては、コイルスプリングＳの長手寸法内に組み込むことができるため、コイルスプリングＳの一端側に反力調整機構を導入する場合に比べて、反力機構Ｈを含め軸方向のコンパクト化を図ることができる点、コイルスプリングＳを後傾姿勢（この実施形態においては略４５°程度の傾斜）で配置しているため、このコイルスプリングＳを収容している支持基部３の前後寸法の短寸化、ひいては座６を前後スライドさせるときの座６と支持基部３との干渉を有効に回避して動作代を十分に確保することができる点、このようにしても操作用のグリップＡ２１は操作し易い支持基部３の前壁３２に配置できる点、第３回転アームＡ１の腕の長さに基づく「てこ」の作用で軽く操作できる点などが挙げられる。
【００２９】
そして、座６を座受４に取り付けるとともに、背もたれ７を背フレーム５に取り付けて、本実施形態の椅子Ｃは完成される。
【００３０】
背もたれ７は、図７、図８等に示すように、当該背もたれ７の外形を形作る板状をなす弾性材製の背もたれ本体７１と、この背もたれ本体７１の上部を収納するカバー７１ａと、この背もたれ本体７１の上部背面に配置された下向きコの字形をなし剛性のある素材で作られてなる背もたれ上部補強部材７２と、この背もたれ本体７１の下端部を覆う筐体状の背もたれ下部補強部材７３とを具備する。
【００３１】
背もたれ本体７１は、正面視概略矩形状をなすものであるとともに、左右側縁部が中央部に比べて前方に突出するように湾曲するものであって、平断面形状が概略部分円弧状又はそれに近い湾曲形状をなす。また側断面形状は、略中央部が前方に膨出し、途中に凹む部位が無いように形成してある。
【００３２】
そして、この背もたれ本体７１の上下方向中間部よりもやや下方部位に弾性変形領域を設定し、その弾性変形領域がランバーサポート部７１ｘとして機能するようにしている。かかるランバーサポート部７１ｘは、前方に突出するような右側面視「く」の字形に若干屈曲させて成形してある。さらに、前記背フレーム要素５１に、背もたれ上支持部５１１を形成している。この背もたれ上支持部５１１にはピン挿通孔５１１ａが設けてあり、このピン挿通孔５１１ａを前記背もたれ上部補強部材７２の下端部７２ａに設けたピン挿通孔７２ａ１に合致させて水平ピン７２１を挿通し、この水平ピン７２１を介して背もたれ上部補強部材７２を背もたれ上支持部５１１に回転可能に接続している。一方、背もたれ本体７１の下端部は、背もたれ下部補強部材７３の開口部に挿入して背もたれ７の下端部７ｘを形成している。
【００３３】
また、座６の下方には、クランク部８１と一端部に操作部たる操作つまみ８２１を有するクランクシャフト部８２と一端部をクランク部８１に接続したクランクアーム部８３とを具備するクランク機構８を設けている。クランクアーム部８３は、その他端部を背もたれ７の下端部７ｘに接続し、中間部の回転中心Ｘ１０を中心に回転可能に構成して、さらにこのクランクアーム部８３により座６の後端部６ｙを支持するようにしている。そして、前記操作つまみ８２１の回転操作によって背もたれ７の下端部７ｘと座６の後端部６ｙとを連動して昇降させるようにしている。なお、前記クランクアーム部８３は、本実施形態では左右に離間して１対設けられている。
【００３４】
また、前記クランク部８１の移動経路上にこのクランク部８１の移動範囲を規制するストッパ８５（図８では省略）を設けている。このストッパ８５の構成を図１０に示すが、このストッパ８５は樹脂などで構成された断面視略Ｃ字状をなすもので、背フレーム要素５１間に横架して設けたストッパ台板８５１から起立して設けたストッパ取付部材８５２に、開口部をクランク部８１の移動範囲に向けて取り付けている。
【００３５】
そして、背もたれ下部補強部材の背面にはスライダ８６（図８では省略）が設けてあり、適当な位置に固定して設けたガイド部材８７（図８では省略）に常に係り合わせるようにして背もたれ７の下端部７ｘを平行に昇降させるようにしている。
【００３６】
一方、背もたれ７の下端部７ｘには前記クランクアーム部８３の一端を係り合わせる係合部材７４を設けている。一方、前記クランクアーム部８３の一端部には後方に開放された開口部８３ａを設けて前記係合部材７４に係り合わせているとともに、他端部には長穴８３１を設けて前記クランク部８１に係り合わせている。
【００３７】
以下に、このように構成したクランク機構８を用いて背もたれ７の下端部７ｘを図７及び図９の実線に示す位置から想像線に示す位置まで移動させる方法を述べる。
【００３８】
前記操作つまみ８２１を図７の矢印ｘの方向に回転させると、図９に示すように、クランク部８１がクランクシャフト部８２とともに回転し、長孔８３１と前記クランク部８１との係り合わせを介してクランクアーム部８３が回転する。そして、背もたれ７の下端部に設けた係合部材７４が前記クランクアーム部８３の開口部８３ａに持ち上げられて背もたれ７の下端部７ｘが図９の実線に示す位置から想像線に示す位置まで上昇し、クランクアーム部８３の上面８３ｂがカムの役割を果たして座６の後端部６ｙが背もたれ７の下端部７ｘと連動して図９の実線に示す位置から想像線に示す位置まで上昇する。そして、ストッパ８５が径過的に押し開かれてこのストッパ８５にクランク部８１が収容されて保持され、背もたれ７の下端部７ｘ及び座６の後端部６ｙが図９の想像線に示す位置を保つ。
【００３９】
一方、背もたれ７の下端部７ｘが上昇すると、ランバーサポート部７１ｘとして機能する部分が突き上げられて、背もたれ７は図７の実線で示す形状から想像線で示す形状に変形する。
【００４０】
また、逆の操作を行うと、背もたれ７の下端部７ｘは図７及び図９の想像線に示す位置から実線に示す位置に戻り、これに連動して座６の後端部６ｙ及び背もたれ７の形状も図７及び図９の想像線に示す位置から実線に示す位置に戻る。
【００４１】
しかして、本実施形態では、前記弾性変形領域たるランバーサポート部７１ｘに、弾性変形を助勢するための厚み方向に貫通させた変形助勢凹部たるスリット孔７ｓを形成するとともに、前記カバー７１ａを前記スリット孔７ｓを利用して背もたれ本体７１に取り付けるようにしている。
【００４２】
詳述すれば、前記スリット孔７ｓは、背もたれ本体７１の略左右に亘って延びるものであり、上下に複数（本実施形態では４つ）が間欠的に形成されている。そして、これらスリット孔７ｓの延伸する方向を折り目として、背もたれ本体７１が曲がりやすくなるようにしてあって、上述したように、ランバーサポート部７１ｘが操作つまみ８２１の操作により前後に突没するように構成してある。
【００４３】
カバー７１ａは、背もたれ本体７１の略上半部を覆う大きさを有した下方に開口する袋状をなすものであり、前カバー７１ａ１及び後カバー７１ａ２を備えてなる。しかして前記前カバー７１ａ１の下部は、その下端幅がスリット孔７ｓの長さ寸法と略同一となるように、下方にいくに連れ徐々に左右幅の狭まる形状をなしており、その下端部には前記スリット孔７ｓに引っ掛けるための矩形板状をなす樹脂製の取付部９を設けている。
【００４４】
この取付部９は、前記スリット孔７ｓの左右幅寸法と略同一の長さ寸法を有するとともに、その厚み寸法を前記スリット孔７ｓの上下幅寸法よりも小さく設定したものであって、その側端面を前記スリット孔７ｓの開口に対して臨ませた挿入姿勢Ｐで当該スリット孔７ｓに挿入できるように構成してある。一方、その幅寸法は、前記スリット孔７ｓの上下幅寸法よりも大きく設定してあり、前記スリット孔７ｓの裏面開口にその面板部を臨ませた係合姿勢Ｑで、当該スリット孔７ｓの周縁部裏面に係合するように構成してある。そしてスリット孔７ｓの周縁部裏面に沿って厚み方向に湾曲可能なものである。
【００４５】
さらに、本実施形態では、この取付部９の幅方向略中央部から長手方向に沿って直交起立させた接合部９１を一体に形成して、これら取付部９及び接合部９１が断面概略Ｔ字型をなす樹脂製のものとなるようにしている。そしてこの接合部９１に前カバー７１ａ１の下端縁部を左右に亘って一様に接合してある。接合方法は、例えばカバー７１ａが樹脂製のものであれば溶着しても構わないし、その他縫い付け等でも構わない。もちろん接合部９１を設けず、取付部９に直接的に前カバー７１ａ１の下端部を接合しても構わない。
【００４６】
このような構成のカバー７１ａを背もたれ本体７１に取り付けるには以下のように行う。
【００４７】
まず取付部９及び接合部９１をフラットな状態、この場合であれば直線状に延伸する状態にして前カバー７１ａ１の下端縁部を、例えば溶着により接合しておく。
【００４８】
そして図１１に示すように、取付部９を前記スリット孔７ｓのうち、最も上方に位置するものに引っ掛ける。具体的には、取付部９を前記挿入姿勢Ｐにしてその側端部９ａをスリット孔７ｓに正面側から挿入していく。そしてスリット孔７ｓの中で若干湾曲させつつ、あるいはそのままの姿勢で、背もたれ背面側に引っ張り出し、前記係合姿勢Ｑとする。
【００４９】
その後、カバー７１ａを背もたれ本体７１の上方から被せる。このことにより、前カバー７１ａ１に主として上下方向に張力が作用し、その張力に引っ張られて取付部９は、スリット孔７ｓの周縁部に沿って厚み方向に湾曲しつつ、その周縁部を当該スリット孔７ｓの周縁部に密着係合させる。
【００５０】
なお、カバー７１ａを背もたれ本体７１の上方から被せた後、前カバー７１ａ１の下端部に設けた前記取付部９を、前記スリット孔７ｓに引っ掛けても構わない。
【００５１】
したがってこのようなものであれば、背もたれ本体７１に何ら改造を施すことなく、極めてシンプルな構成でカバー７１ａを確実にかつ無理なく取り付けられる。また、そのことから、外観的にもシンプルですっきりとしたものにすることができる。
【００５２】
特に本実施形態では、最上方に位置するスリット孔７ｓを利用してカバー７１ａを背もたれ本体７１に取り付けているので、カバー７１ａは弾性変形領域たるランバーサポート部７１ｘよりも上方に被着されることとなる。すなわちカバー７１ａは、ほとんど弾性変形を起こさない非弾性変形領域に装着されることとなるため、背もたれ本体７１に変形を加えてもカバー７１ａに無理な力が加わらず、カバー７１ａの被着状態を良好に保つことができる。一方、このようにした場合にカバー７１ａは背もたれ本体７１の上部にのみ被着されることとなるが、実際に背もたれ７で汚れやすいのは、着座者の背に密着しやすい背もたれ上部であるため、カバー７１ａとしての十分な機能を発揮させることもできる。
【００５３】
さらに、本実施形態において、カバー７１ａの下端部に設けられた取付部９が、張力を与えられることによってスリット孔７ｓの周縁部に沿って厚み方向に湾曲し密着係合するため、背もたれ本体７１が湾曲しているにも拘わらず、カバー７１ａに一様に張力が作用し、皺がよりにくいものとなる。
【００５４】
また、カバー７１ａに張力が作用する主方向と略直交する方向である左右方向に延び、かつカバー７１ａの左右幅寸法に近い長さ寸法を有する前記スリット孔７ｓの左右に亘って、カバー７１ａの下端部が挿入され、引っ張られるということも、カバー７１ａに一様に張力を作用させ皺をよりにくくする効果を助長するものとなる。
【００５５】
さらに、張力方向（上下方向）に沿って切った背もたれ本体７１の側断面形状のうち、背もたれ面の特に前記カバー装着部位に対応する輪郭が、直線又は外側に膨出する膨出形状をなし、途中に凹んだ部分が無いため、カバー７１ａが背もたれ本体７１に密接し、外観上においても使い勝手の上でも好適なものとなる。
【００５６】
なお、本発明は以上に述べた実施形態に限られない。
【００５７】
例えば、取付部は、矩形板状のものに限られず、図１２に示すように、その幅寸法が周期的に拡縮し、その周縁部のうち突出する部位のみがスリット孔７ｓの周縁部に係合するようなものでも構わない。
【００５８】
また変形助勢凹部は、スリット孔に限られず、例えば図１３に示すような有底溝７ｓでも構わないし、その他種々の形態が可能である。また、かかる変形助勢凹部は、ランバーサポート部の変形のためのみならず、例えば背もたれ本体を傾動させるべく設けたもの等でも構わない。
【００５９】
さらに、カバーの端部を変形助勢凹部に挿通し、裏側に回し込んでファスナー等により背もたれ本体裏面あるいは後カバーに止め着けるようにしても構わない。
【００６０】
もちろん、椅子自体も、例えば背座一体の樹脂製のもの等に本発明を適用して同様の作用効果を奏しうる。
【００６１】
その他本発明は上記各図示例に限られず、その趣旨を逸脱しない範囲で種々変形が可能であるのは言うまでもない。
【００６２】
【発明の効果】
以上に詳述したように、本発明によれば、弾性変形を助勢するための変形助勢凹部たるスリット孔を利用してカバーを取り付けるようにしているので、背もたれ本体に何ら改造を施すことなく、極めてシンプルな構成でカバーを確実にかつ無理なく取り付けられる。
また、下方に開口するカバーを背もたれ本体の上方から被せるとともに、カバーの下端部に設けた取付部を前記スリット孔に挿通しあるいは引っかけることにより、当該カバーを背もたれ本体に抜脱不能に被着しているので、背もたれ本体にカバーを取り付けやすくできる。
【図面の簡単な説明】
【図１】本発明の一実施形態に係る椅子の正面図。
【図２】同実施形態に係る椅子の側面図。
【図３】同実施形態に係る椅子の背面図。
【図４】同実施形態に係る椅子の支持基部付近を示す縦断面図。
【図５】同実施形態に係る椅子の座受を示す平面図。
【図６】同実施形態に係る椅子の座受を支持基部に取り付けた状態を示す斜視図。
【図７】同実施形態に係る椅子の背もたれの機構及び動作を示す概念図。
【図８】同実施形態に係る椅子の背もたれの構造を示す分解斜視図。
【図９】同実施形態に係る椅子のクランク機構を示す概略図。
【図１０】同実施形態に係る椅子のクランク機構のストッパを示す概略図。
【図１１】同実施形態におけるカバーの取付手順を示す模式的断面図。
【図１２】本発明の他の実施形態における係合部材の係合状態図。
【図１３】本発明のさらに他の実施形態における被係合部の部分断面図。
【符号の説明】
７１・・・背もたれ本体
７１ａ・・・カバー
７１ｘ・・・弾性変形領域（ランバーサポート部）
７ｓ・・・変形助勢凹部（スリット孔）
９・・・取付部
【図１】
0004098544.tif 000002
【図２】
0004098544.tif 000003
【図３】
0004098544.tif 000004
【図４】
0004098544.tif 000005
【図５】
0004098544.tif 000006
【図６】
0004098544.tif 000007
【図７】
0004098544.tif 000008
【図８】
0004098544.tif 000009
【図９】
0004098544.tif 000010
【図１０】
0004098544.tif 000011
【図１１】
0004098544.tif 000012
【図１２】
0004098544.tif 000013
【図１３】
0004098544.tif 000014